(57)【要約】【課題】扉の自動的な開扉と収納容器の移動とを連動させることにより、利便性の高い冷蔵庫を提供する。【解決手段】冷蔵庫１０は、扉１７、１８を開扉する開扉装置１６、および収納容器３０を駆動する駆動部５０を備えている。開扉装置１６により扉１７および扉１８が開扉されると、収納容器３０は駆動部５０によって初期位置から前方へ駆動される。そのため、扉１７および扉１８の開扉に連動して収納容器３０が冷蔵室１２の前方へ移動する。これにより、収納容器３０を引き出す動作が不要となる。その結果、開扉装置１６による扉１７および扉１８の自動的な開扉と駆動部５０による収納容器３０の移動とが連動し、収納容器３０の利便性が向上する。【選択図】図１
2009228911.tif 000002
【特許請求の範囲】
【請求項１】
貯蔵室を形成する冷蔵庫本体と、
前記冷蔵庫本体の前面側を開閉する扉と、
前記扉を開扉する開扉手段と、
前記貯蔵室に収容され、前後に移動可能に設けられている収納容器と、
前記開扉手段が前記扉を開扉すると、前記収納容器を前記貯蔵室の後端側の初期位置から前記貯蔵室の前方へ駆動する駆動手段と、
を備えることを特徴とする冷蔵庫。
【請求項２】
前記扉の外側に設けられ、前記開扉手段による前記扉の開扉を入力する開扉スイッチをさらに備え、
前記開扉スイッチから前記扉の開扉が入力されたとき、前記駆動手段は前記収納容器の駆動を停止することを特徴とする請求項１記載の冷蔵庫。
【請求項３】
前記扉の開閉を検出する扉開閉検出手段をさらに備え、
前記駆動手段は、前記扉開閉検出手段で前記扉が閉であることを検出すると、前記収納容器の駆動を停止することを特徴とする請求項１または２記載の冷蔵庫。
【請求項４】
前記扉の開度を検出する扉開度検出手段をさらに備え、
前記駆動手段は、前記扉開度検出手段で検出した前記扉の開度が下限値未満であると、前記収納容器の駆動を停止することを特徴とする請求項１、２または３記載の冷蔵庫。
【請求項５】
前記駆動手段は、前記収納容器の側部または背部に設けられていることを特徴とする請求項１から４のいずれか一項記載の冷蔵庫。
【請求項６】
前記収納容器を前記初期位置へ引き込む引込手段と、
前記貯蔵室を形成する前記冷蔵庫本体の内壁に設けられ、前記引込手段による前記収納容器の引き込みを入力する引込指示スイッチと、
をさらに備えることを特徴とする請求項１から５のいずれか一項記載の冷蔵庫。
【請求項７】
前記駆動手段は、前記収納容器の後端部に接続する帯部材と、回転することにより前記帯部材を前記貯蔵室の前後へ移動させ前記帯部材に接続する前記収納容器を駆動する駆動部と、を有し、
前記帯部材は、前記収納容器と反対側の端部が前記駆動部を境として前記貯蔵室の上方へ伸びていることを特徴とする請求項１から６のいずれか一項記載の冷蔵庫。
【発明の詳細な説明】
【技術分野】
【０００１】
本発明は、冷蔵庫に関し、特に貯蔵室に比較的大型の収納容器を備える冷蔵庫に関する。
【背景技術】
【０００２】
従来、貯蔵室には、収容する物品の仕分けを容易にし、空間を有効に利用するために、棚や収納容器が設けられている。冷蔵庫の大容量化にともない、これら貯蔵室に収容されている棚や収納容器は大型化している。また、冷蔵庫の大容量化にともなって冷蔵庫の高さが増大している。そのため、上方にある棚の利用が困難になる。そこで、棚や収納容器を自動的に貯蔵室から出し入れし、利便性の向上が図られている（特許文献１、２参照）。
【特許文献１】特開２００４−３０１３５６号公報
【特許文献２】実開平４−１１３８８７号公報
【発明の開示】
【発明が解決しようとする課題】
【０００３】
ところで、近年、大容量の家庭用冷蔵庫では、使い勝手の向上のために貯蔵室の前方の扉を自動で開扉するものが広く普及している。しかしながら、特許文献１や２の場合、開扉手段を備えておらず、開扉手段による扉の開閉と収納容器の移動との関係は考慮されていない。そのため、開扉手段による扉の開扉と収納容器とが連動せず、利便性が低いという問題がある。
そこで、本発明は、上記の課題に鑑みてなされたものであり、扉の自動的な開扉と収納容器の移動とを連動させることにより、利便性の高い冷蔵庫を提供することにある。
【課題を解決するための手段】
【０００４】
上記の課題を解決するために本発明の冷蔵庫は、貯蔵室を形成する冷蔵庫本体と、前記冷蔵庫本体の前面側を開閉する扉と、前記扉を開扉する開扉手段と、前記貯蔵室に収容され、前後に移動可能に設けられている収納容器と、前記開扉手段が前記扉を開扉すると、前記収納容器を前記貯蔵室の後端側の初期位置から前記貯蔵室の前方へ駆動する駆動手段と、を備えることを特徴とする。
【発明の効果】
【０００５】
本発明によれば、開扉手段が扉を開扉すると、収納容器は駆動手段によって後端側の初期位置から前方へ駆動される。そのため、収納容器は、開扉手段による扉の開扉に連動して前方側へ駆動される。したがって、開扉手段による扉の自動的な開扉と駆動手段による収納容器の移動とを連動させることができ、収納容器の取り扱いにおける利便性を高めることができる。
【発明を実施するための最良の形態】
【０００６】
以下、本発明による冷蔵庫の複数の実施形態を図面に基づいて説明する。なお、複数の実施形態において実質的に同一の構成部位には同一の符号を付し、説明を省略する。
（第１実施形態）
本発明の第１実施形態による冷蔵庫を図２に示す。冷蔵庫１０は、本体１１を備えている。本体１１は、鋼板製の外箱と、樹脂製の内箱と、これらの間に充填された断熱材とから構成されている。本体１１は、上方から順に貯蔵室としての冷蔵室１２、左右に設けられている製氷室１３および切替室１４、ならびに冷凍室１５を形成している。これら冷蔵室１２、製氷室１３、切替室１４および冷凍室１５は、内箱の内部を断熱して仕切ることにより形成される。切替室１４は、冷凍室としてもよい。冷蔵庫１０は、冷蔵室１２を形成する本体１１の上端に開扉手段としての開扉装置１６を備えている。
【０００７】
冷蔵室１２は、図２および図３に示すように観音開き式の扉１７、１８で閉鎖されている。また、製氷室１３、切替室１４および冷凍室１５は、それぞれ図示しない引き出し式の容器が収容されている。製氷室１３、切替室１４および冷凍室１５は、前面部を構成する扉２１、２２、２３で前方が閉鎖されている。このように、冷蔵庫１０は、前面部に扉１７、１８、２１、２２、２３を有している。開扉装置１６は、本体１１の上端に設けられいている。開扉装置１６は、扉１７、１８を前方へ押し出す二本のプッシュロッド２４、２５を有している。プッシュロッド２４は、扉１７を前方へ押し出すことにより、冷蔵室１２を閉鎖する扉１７を開放する。プッシュロッド２５は、扉１８を前方へ押し出すことにより、冷蔵室１２を閉鎖する扉１８を開放する。冷蔵室１２を閉鎖する扉１７、１８には、それぞれ押しボタン式の開扉スイッチ２６、２７が設けられている。この開扉スイッチ２６、２７を押し込むことにより、開扉装置１６は扉１７、１８を開放する。なお、扉１７、１８は、手動でも開閉可能である。
【０００８】
図４は、冷蔵庫１０の扉１７、１８を取り外すとともに、冷蔵室１２を形成する本体１１の側壁部を破断して示す冷蔵庫１０の斜視図である。冷蔵庫１０には、複数の棚板２８が設けられている。また、冷蔵室１２には、棚板２８の下方に棚２９が設けられている。棚２９の下方には、収納容器３０が設けられている。収納容器３０は冷蔵室１２に収容され、冷蔵庫１０の前後方向へ移動可能に設けられている。すなわち、収納容器３０は、冷蔵室１２から引き出し可能である。本明細書では、冷蔵庫１０の扉１７、１８側を前方とし、扉１７、１８と反対側の後壁側を後方としている。収納容器３０の下方には、仕切板４１を挟んでチルド容器４２が設けられている。このチルド容器４２も、冷蔵庫１０の前後方向へ引き出し可能である。チルド容器４２の側方には、自動製氷装置用の給水タンク４３が設けられている。仕切板４１は、冷蔵室１２の幅方向すなわち図４の左右方向に伸びて冷蔵庫１０を上下に仕切っている。
【０００９】
収納容器３０は、上方および前方が開口している。収納容器３０は、この上方の開口と反対側に底部３１を有している。底部３１は、図４に示す仕切板４１と概ね平行に設けられている。また、収納容器３０は、幅方向の両端部に底部３１から概ね垂直に上方へ立ち上がる側壁３２を有している。さらに、収納容器３０は、前方の扉１７、１８側において幅方向に伸び、二つの側壁３２の間を接続する前壁３３を有している。収納容器３０は、図５に示すように側壁３２の外側に支持部３４を有している。冷蔵室１２を形成する内箱の内側には、前後方向へ伸びるスライドレール３５が設けられている。収納容器３０の支持部３４は、スライドレール３５に移動可能に取り付けられている。これにより、スライドレール３５に支持されている収納容器３０は、冷蔵室１２の内部を前後へ移動可能である。収納容器３０の初期位置は、冷蔵室１２の最も後端側に移動しているとき、すなわち最も後端側に押し込まれているているときである。
【００１０】
駆動手段としての駆動部５０は、図１に示すように収納容器３０の後壁３６の後方に設けられている。駆動部５０は、図６に示すようにソレノイド５１、プッシュロッド５２、リンク部５３およびプッシュロッド５４を有している。ソレノイド５１は、通電することによりプッシュロッド５２を駆動する。プッシュロッド５２は、ソレノイド５１と反対側の端部がリンク部５３に接続している。リンク部５３は、プッシュロッド５２とプッシュロッド５４との間に設けられている。ソレノイド５１によりプッシュロッド５２が図６の左方へ駆動されると、リンク部５３はプッシュロッド５４を図６の下方すなわち冷蔵室１２の前方へ押し出す。すなわち、リンク部５３は、プッシュロッド５２の図６の左方への移動を、プッシュロッド５４の図６の下方への移動へ変換する。プッシュロッド５４は、リンク部５３と反対側の端部が収納容器３０の後壁３６に接している。これにより、ソレノイド５１に通電すると、収納容器３０はプッシュロッド５４に押されて冷蔵室１２の前方へ駆動される。扉１７には、図２および図３に示すように開扉スイッチ２６に加えて容器スイッチ５５が設けられている。容器スイッチ５５が操作されると、駆動部５０は収納容器３０を前方へ駆動する。扉１７、１８の内側すなわち冷蔵室１２側には、図１に示すようにドアポケット４４が設けられている。
【００１１】
次に、上述の冷蔵庫１０の電気的な構成を図７に基づいて説明する。
冷蔵庫１０は、制御部６０を備えている。制御部６０は、例えばＣＰＵ、ＲＯＭおよびＲＡＭを有するマイクロコンピュータで構成されている。制御部６０には、コンプレッサ６１、ファン６２、開扉装置１６および駆動部５０が接続している。また、制御部６０には、温度設定部６３、温度センサ６４、開扉スイッチ２６、２７、容器スイッチ５５、ドアスイッチ６５、６６および開度センサ６７、６８が接続している。
【００１２】
コンプレッサ６１は、冷蔵室１２や冷凍室１５など冷蔵庫１０の内部を冷却するために冷媒を圧縮する。ファン６２は、冷媒によって冷却された空気を冷蔵室１２や冷凍室１５などへ送風する。開扉装置１６は、プッシュロッド２４、２５を駆動するソレノイド６９を有している。制御部６０は、開扉スイッチ２６、２７から開扉の操作があると、ソレノイド６９に通電する。ソレノイド６９は、通電されるとプッシュロッド２４、２５を冷蔵室１２の前方へ駆動する。開扉スイッチ２６から開扉の操作があると、制御部６０はソレノイド６９によりプッシュロッド２４を駆動する。一方、開扉スイッチ２７から開扉の操作があると、制御部６０はソレノイド６９によりプッシュロッド２５を駆動する。これにより、冷蔵室１２を塞ぐ扉１７、１８は開放される。駆動部５０は、ソレノイド５１が制御部６０に接続している。これにより、容器スイッチ５５の操作により、制御部６０からソレノイド５１へ通電されると、収納容器３０は冷蔵室１２の前方へ移動する。
【００１３】
温度設定部６３は、例えば図１および図４に示すように冷蔵庫１０の冷蔵室１２内に設けられている。温度設定部６３からは、冷蔵室１２、切替室１４および冷凍室１５における設定温度が入力される。温度センサ６４は、冷蔵室１２、切替室１４および冷凍室１５にそれぞれ設けられ、各室の温度を検出する。制御部６０は、温度センサ６４で検出した各室の温度と、温度設定部６３で設定されている各室の設定温度とに基づいて、コンプレッサ６１およびファン６２の運転量を制御する。開扉スイッチ２６、２７は、図２および図３に示すように扉１７および扉１８の取っ手部分に設けられている。図７に示すドアスイッチ６５、６６は、それぞれ扉１７または扉１８の開閉を検出する。ドアスイッチ６５、６６は、それぞれ扉１７または扉１８に対応してそれぞれ設けられている。扉１７および扉１８が冷蔵室１２を閉鎖しているとき、ドアスイッチ６５、６６は制御部６０へ扉１７および扉１８の閉鎖を示す信号を出力する。一方、扉１７および扉１８が冷蔵室１２を開放しているとき、ドアスイッチ６５、６６は制御部６０へ信号を出力しない。開度センサ６７、６８は、扉１７または扉１８に対応してそれぞれ設けられ、扉１７または扉１８の開度を検出する。開度センサ６７、６８は、検出した扉１７または扉１８の開度を制御部６０へ出力する。ドアスイッチ６５、６６は、特許請求の範囲における扉開閉検出手段を構成している。また、開度センサ６７、６８は、特許請求の範囲における扉開度検出手段を構成している。なお、ドアスイッチ６５、６６と開度センサ６７、６８とは、別個の構成ではなく、共用してもよい。
【００１４】
次に、上記の構成による冷蔵庫１０の作動について説明する。
（開扉操作の例１）
扉１７および扉１８の開扉と収納容器３０との連動の例について図８に基づいて説明する。
制御部６０は、開扉スイッチ２６、２７または容器スイッチ５５の操作があると（Ｓ１０１）、その操作が容器スイッチ５５の操作であるか否かを判断する（Ｓ１０２）。制御部６０は、容器スイッチ５５の操作であると判断したとき、開扉装置１６により左側の扉１７および右側の扉１８の双方を開扉する（Ｓ１０３）。すなわち、制御部６０は、ソレノイド６９に通電しプッシュロッド２４およびプッシュロッド２５の双方を駆動する。これにより、扉１７および扉１８は、いずれも冷蔵室１２を開放する。そして、制御部６０は、扉１７および扉１８の開扉を確認すると、駆動部５０により収納容器３０を冷蔵室の前方へ駆動する（Ｓ１０４）。
【００１５】
一方、制御部６０は、ステップＳ１０２において容器スイッチ５５の操作でない、すなわち開扉スイッチ２６、２７の操作があったと判断すると、操作のあった開扉スイッチ２６側の扉１７または開扉スイッチ２７側の扉１８を開扉する（Ｓ１０５）。すなわち、扉１７側の開扉スイッチ２６に操作があったとき、制御部６０はソレノイド６９によりプッシュロッド２４を駆動する。これにより、開扉スイッチ２６側の扉１７が開扉される。一方、扉１８側の開扉スイッチ２７に操作があったとき、制御部６０はソレノイド６９への通電によりプッシュロッド２５を駆動する。これにより、開扉スイッチ２７側の扉１８が開扉される。操作のあった開扉スイッチ２６、２７側の扉１７、１８が開扉されると、制御部６０は処理を終了する。
【００１６】
以上の手順により、制御部６０は、容器スイッチ５５からの操作があると、扉１７および扉１８を開扉した後、収納容器３０を冷蔵室１２の前方へ駆動する。すなわち、制御部６０は、容器スイッチ５５からの操作があるときのみ駆動部５０により収納容器３０を駆動し、開扉スイッチ２６または開扉スイッチ２７からの操作があったときは駆動部５０による収納容器３０の駆動を停止する。
【００１７】
（開扉操作の例２）
次に、扉１７および扉１８の開扉と収納容器３０との詳細な連動の例について図９に基づいて説明する。
制御部６０は、容器スイッチ５５の操作があると（Ｓ２０１）、開扉装置１６により扉１７および扉１８を開扉する（Ｓ２０２）。制御部６０は、開扉装置１６のソレノイド６９に通電することにより、プッシュロッド２４およびプッシュロッド２５の双方を駆動する。これにより、扉１７および扉１８は、いずれも開扉される。制御部６０は、扉１７および扉１８の開扉が完了すると、ドアスイッチ６５から左側の扉１７の状態を検出する（Ｓ２０３）。制御部６０は、ドアスイッチ６５で検出した扉１７の状態から左側の扉１７が開扉しているか否かを判断する（Ｓ２０４）。
【００１８】
制御部６０は、ステップＳ２０４において左側の扉１７が開扉していると判断すると、開度センサ６７から左側の扉１７の開度を取得する（Ｓ２０５）。制御部６０は、ステップＳ２０５において開度センサ６７から左側の扉１７の開度を取得すると、取得した左側の扉１７の開度が所定角度以上であるか否かを判断する（Ｓ２０６）。このとき、制御部６０は、左側の扉１７の開度が例えば収納容器３０の移動を妨げない約９０°以上であるか否かを判断する。制御部６０は、ステップＳ２０６において左側の扉１７の開度が所定角度以上であると判断すると、ドアスイッチ６６から右側の扉１８の状態を検出する（Ｓ２０７）。制御部６０は、ドアスイッチ６６で検出した扉１８の状態から右側の扉１８が開扉しているか否かを判断する（Ｓ２０８）。
【００１９】
制御部６０は、ステップＳ２０８において右側の扉１８が開扉していると判断すると、開度センサ６８から右側の扉１８の開度を取得する（Ｓ２０９）。制御部６０は、ステップＳ２０９において開度センサ６８から右側の扉１８の開度を取得すると、取得した右側の扉１８の開度が所定角度以上であるか否かを判断する（Ｓ２１０）。このとき、制御部６０は、右側の扉１８の開度が例えば収納容器３０の移動を妨げない約９０°以上であるか否かを判断する。制御部６０は、ステップＳ２１０において右側の扉１８の開度が所定角度以上であると判断すると、駆動部５０に通電し、収納容器３０を冷蔵室１２の前方へ駆動する（Ｓ２１１）。
【００２０】
これらに対し、制御部６０は、ステップＳ２０４において左側の扉１７が開扉していない、ステップＳ２０６において左側の扉１７の開度が不十分、ステップＳ２０８において右側の扉１８が開扉していない、またはステップＳ２１０において右側の扉１８の開度が不十分のいずれかと判断すると、収納容器３０を駆動することなく処理を終了する。すなわち、制御部６０は、ステップＳ２０４またはステップＳ２０８において扉１７または扉１８が閉であることを検出すると、駆動部５０による収納容器３０の駆動を停止する。また、制御部６０は、ステップＳ２０６またはステップＳ２１０において扉１７または扉１８の開度が下限値未満であると判断すると、駆動部５０による収納容器３０の駆動を停止する。
以上のように、開扉操作の例２の場合、左側の扉１７および右側の扉１８の開閉および開度に基づいて収納容器３０の駆動の有無を判断している。これにより、閉鎖状態または開度が不十分の扉１７または扉１８と収納容器３０との干渉あるいは衝突が回避される。
【００２１】
以上説明した第１実施形態では、次のような効果が得られる。
開扉装置１６により扉１７および扉１８が開扉されると、収納容器３０は駆動部５０によって初期位置から前方へ駆動される。そのため、扉１７および扉１８の開扉に連動して収納容器３０が冷蔵室１２の前方へ移動する。これにより、収納容器３０を引き出す動作が不要となる。したがって、開扉装置１６による扉１７および扉１８の自動的な開扉と駆動部５０による収納容器３０の移動とを連動させることができ、収納容器３０の利便性を高めることができる。また、収納容器３０は、扉１７および扉１８の開扉に連動して駆動部５０により自動的に前方へ駆動される。そのため、収納容器３０に物品を収納することにより重量が増大する場合でも、収納容器３０の取り扱いを容易にすることができる。
【００２２】
第１実施形態では、扉１７および扉１８の外側に設けられている開扉スイッチ２６、２７から扉１７、１８の開扉が入力されたとき、制御部６０は駆動部５０により収納容器３０の駆動を停止する。開扉スイッチ２６、２７からの扉１７、１８の開扉が入力されるとき、開扉スイッチ２６が設けられている扉１７または開扉スイッチ２７が設けられている扉１８のいずれか一方のみが開扉される場合がある。そのため、前方へ駆動された収納容器３０は開扉されない扉１７または扉１８と干渉または衝突するおそれがある。そこで、開扉スイッチ２６または開扉スイッチ２７から操作があったとき、制御部６０は駆動部５０による収納容器３０の駆動を停止する。すなわち、制御部６０は、容器スイッチ５５から操作があった場合のみ、扉１７および扉１８の開扉と収納容器３０の前方への駆動とを連動させる。これにより、開扉されていない扉１７または扉１８と収納容器３０との干渉または衝突が低減される。したがって、収納容器３０の取り扱いを容易にすることができる。また、冷蔵室１２の棚板２８や棚２９に載置された物品、あるいはドアポケット４４に収納された物品を取り出す場合、収納容器３０の駆動は不要である。そこで、開扉スイッチ２６または開扉スイッチ２７から扉１７または扉１８の開扉が入力されたとき、収納容器３０の駆動を停止することにより、不要な収納容器３０の移動が生じない。すなわち、開扉スイッチ２６または開扉スイッチ２７を操作したとき、収納容器３０の駆動は独立し扉１７または扉１８の開扉と連動しない。したがって、不要な収納容器３０の移動を防止することができる。
【００２３】
第１実施形態では、扉１７および扉１８の開閉、ならびに扉１７および扉１８の開度に基づいて、駆動部５０による収納容器３０の駆動が判断される。すなわち、扉１７または扉１８の少なくともいずれか一方が閉じているとき、および扉１７または扉１８の少なくともいずれか一方の開度が不十分なとき、制御部６０は駆動部５０による収納容器３０の駆動を停止する。そのため、開扉されていない扉１７若しくは扉１８、または開度が不十分な扉１７若しくは扉１８と収納容器３０との干渉または衝突が開扉される。したがって、収納容器３０の取り扱いを容易にすることができる。
【００２４】
第１実施形態では、駆動部５０は収納容器３０の背部すなわち後方に設けられている。これにより、駆動部５０は、収納容器３０を後方側から冷蔵室１２の前方へ押し出す。また、駆動部５０は、リンク部５３によりプッシュロッド５２の左右方向への移動をプッシュロッド５４の前後方向の移動へ変換している。これにより、収納容器３０の後方における限られた空間に駆動部５０を設ける場合でも、プッシュロッド５４の十分なストロークが確保される。したがって、駆動部５０の大型化および冷蔵室１２および収納容器３０の容量低下を招くことなく、収納容器３０を冷蔵室の前方へ駆動することができる。
【００２５】
（第１実施形態の変形例）
収納容器３０を駆動する駆動部７０は、例えば図１０に示すように電磁石７１を用いたものでもよい。収納容器３０には、永久磁石７２が取り付けられている。この収納容器３０の永久磁石７２に対向して電磁石７１が設けられている。電磁石７１は、制御部６０に接続され、制御部６０からの通電によって磁力を生じる。永久磁石７２の磁極と同一の磁極を生じるように電磁石７１に通電すると、電磁石７１と永久磁石７２との間に生じる磁気的な反発力によって収納容器３０は冷蔵室１２の前方へ駆動される。
【００２６】
（第２実施形態）
本発明の第２実施形態による冷蔵庫の要部を図１１に示す。
第２実施形態では、図１１に示すように冷蔵庫１０は収納容器３０を駆動する容器駆動部８０を備えている。容器駆動部８０は、帯部材としてチェーンベルト８１、およびチェーンベルト８１に噛み合う駆動部としてギア８２を有している。ギア８２は、図示しないモータによって回転駆動される。チェーンベルト８１は、一方の端部が収納容器３０に接続している。チェーンベルト８１は、収納容器３０の後方へ伸び、ギア８２と噛み合う部分において上方へ折り曲がり、収納容器３０と反対側の端部が上方へ伸びている。図示しないモータによってギア８２が回転すると、チェーンベルト８１は前後および上下へ移動する。図１１においてギア８２が時計方向へ回転すると、図１１（Ｂ）に示すようにチェーンベルト８１に接続された収納容器３０は冷蔵室１２の前方へ移動する。一方、図１１においてギア８２が反時計方向へ回転すると、図１１（Ａ）に示すようにチェーンベルト８１に接続された収納容器３０は冷蔵室１２の後方へ移動する。
【００２７】
扉１７に設けられている容器スイッチ５５が操作されると、制御部６０はギア８２を駆動する図示しないモータを時計方向へ回転させる。これにより、チェーンベルト８１に接続された収納容器３０は、冷蔵室１２の前方へ移動する。扉１７および扉１８と収納容器３０との連動の制御は、第１実施形態と同様である。
また、第２実施形態では、冷蔵庫１０は図１２に示すように引込指示スイッチ８３を備えている。引込指示スイッチ８３は、冷蔵室１２の内側に設けられている。引込指示スイッチ８３は、制御部６０に接続している。これにより、引込指示スイッチ８３が操作されると、制御部６０はギア８２を駆動する図示しないモータへ電力を供給する。その結果、チェーンベルト８１に接続された収納容器３０は、冷蔵室１２の後方へ移動する。すなわち、容器駆動部８０は、特許請求の範囲の引込手段としても機能する。
【００２８】
第２実施形態では、容器駆動部８０をチェーンベルト８１、ギア８２および図示しないモータで構成することにより、収納容器３０は冷蔵室１２の前方だけでなく後方にも駆動される。したがって、収納容器３０の取り出しだけでなく、収納容器３０の収納も自動化することができ、取り扱いをより容易にすることができる。
【００２９】
第２実施形態では、引込指示スイッチ８３の操作により収納容器３０は冷蔵室１２の後方へ収納される。引込指示スイッチ８３は、冷蔵室１２を形成する本体１１の内側に設けられている。そのため、収納容器３０を冷蔵室１２の後方へ移動させるために、扉１７または扉１８を開閉する必要がない。例えば収納容器３０に物品を収納した後、収納容器３０を初期位置に戻す場合、冷蔵室１２の内部に設けられている引込指示スイッチ８３を操作すればよく、扉１７または扉１８に触れる必要はない。したがって、収納容器３０の初期位置への復帰を容易に指示することができる。
【００３０】
（第２実施形態の変形例）
第２実施形態では、チェーンベルト８１およびギア８２によって収納容器３０を駆動する例について説明した。しかし、例えば図１３に示すように容器駆動部９０は、ラック９１およびギア９２によって収納容器３０を駆動してもよい。すなわち、収納容器３０は、底部３１に前後方向へ伸びるラック９１を有している。このラック９１には、ギア９２が噛み合っている。ギア９２は、制御部６０に接続された図示しないモータによって回転駆動される。制御部６０は、モータの回転方向を制御する。これにより、収納容器３０は、冷蔵室１２の前方および後方へ駆動される。
【００３１】
また、図１４に示すようにラック９１は収納容器３０の底部３１に限らず、側壁３２に設けてもよい。収納容器３０の側壁３２において外側に設けられたラック９１は、さらに外側に設けられている図示しないギアと噛み合う。図示しないモータによってギアを回転駆動することにより、ギアに噛み合うラック９１を有する収納容器３０は前後に移動する。すなわち、容器駆動部９０は、特許請求の範囲の引込手段としても機能する。この場合、収納容器３０の両側の側壁３２にラック９１を設け、これらのラック９１に噛み合うギアによって収納容器３０の側壁３２の双方から駆動力を加えることができる。また、収納容器３０の一方の側壁３２にラック９１を設けるとともに、ラック９１とは反対側の側壁３２をスライドレール３５で支持し、側壁３２の一方に設けられたラック９１にギアから駆動力を加えてもよい。
【図面の簡単な説明】
【００３２】
【図１】本発明の第１実施形態による冷蔵庫において冷蔵室の概略を示す断面図
【図２】本発明の第１実施形態による冷蔵庫の概略を示す正面図
【図３】本発明の第１実施形態による冷蔵庫において右方の扉を開放した概略斜視図
【図４】本発明の第１実施形態による冷蔵庫の一部を破断した概略斜視図
【図５】本発明の第１実施形態による冷蔵庫において収納容器の近傍を示す概略斜視図
【図６】本発明の第１実施形態による冷蔵庫の収納容器および駆動部を示す模式図
【図７】本発明の第１実施形態による冷蔵庫の電気的構成を示すブロック図
【図８】本発明の第１実施形態による冷蔵庫の作動の流れを示す概略図
【図９】本発明の第１実施形態による冷蔵庫の作動の流れを示す概略図
【図１０】本発明の第１実施形態による冷蔵庫の収納容器および駆動部の変形例を示す模式図
【図１１】本発明の第２実施形態による冷蔵庫の収納容器および駆動部を示す模式図
【図１２】本発明の第２実施形態による冷蔵庫において冷蔵室の概略を示す断面図
【図１３】本発明の第２実施形態による冷蔵庫の収納容器および駆動部の変形例を示す模式図
【図１４】本発明の第２実施形態による冷蔵庫の収納容器および駆動部の変形例を示す模式図
【符号の説明】
【００３３】
図面中、１０は冷蔵庫、１１は本体、１２は冷蔵室（貯蔵室）、１６は開扉装置（開扉手段）、１７、１８は扉、２６、２７は開扉スイッチ、３０は収納容器、５０、７０は駆動部（駆動手段）、６５、６６はドアスイッチ（扉開閉検出手段）、６７、６８は開度センサ（扉開度検出手段）、８０、９０は容器駆動部（引込手段）、８１はチェーンベルト（帯部材）、８２はギア（駆動部）、８３は引込指示スイッチを示す。
【図１】
2009228911.tif 000003
【図２】
2009228911.tif 000004
【図３】
2009228911.tif 000005
【図４】
2009228911.tif 000006
【図５】
2009228911.tif 000007
【図６】
2009228911.tif 000008
【図７】
2009228911.tif 000009
【図８】
2009228911.tif 000010
【図９】
2009228911.tif 000011
【図１０】
2009228911.tif 000012
【図１１】
2009228911.tif 000013
【図１２】
2009228911.tif 000014
【図１３】
2009228911.tif 000015
【図１４】
2009228911.tif 000016